(57)【要約】【課題】  キッチン、ダイニング、及びリビングの一体感を向上させつつ、明るく開放的なキッチン空間を備える変化に富んだ屋内空間を提供することを目的とする。【解決手段】屋内空間１は、少なくともキッチン３ａを有する第一領域３と、床面が第一領域３よりも低い第二領域４と、床面が第二領域４よりも低い第三領域５と、を有し、第一領域３、第二領域４、及び第三領域５は、それぞれ繋がって形成されるとともに互いの領域間を行き来可能に配置される空間であって、第一領域３から第二領域４及び第三領域５を視認可能に形成される。【選択図】図１
2018197473.tif 000002
【特許請求の範囲】
【請求項１】
少なくともキッチンを有する第一領域と、
床面が前記第一領域よりも低い第二領域と、
床面が前記第二領域よりも低い第三領域と、を有し、
前記第一領域、前記第二領域、及び前記第三領域は、それぞれ繋がって形成されるとともに互いの領域間を行き来可能に配置される屋内空間であって、
前記第一領域から前記第二領域及び前記第三領域を視認可能に形成されることを特徴とする屋内空間。
【請求項２】
前記第一領域は、ダイニングをさらに有し、
前記第二領域及び前記第三領域は、リビングであることを特徴とする請求項１に記載の屋内空間。
【請求項３】
前記第一領域は、前記第二領域及び前記第三領域よりも高い天井を有することを特徴とする請求項１又は請求項２に記載の屋内空間。
【請求項４】
前記第一領域の天井は、吹抜を有することを特徴とする請求項３に記載の屋内空間。
【請求項５】
前記第二領域は、前記第三領域の天井と同一の高さの天井を有し、
前記第二領域の天井面及び前記第三領域の天井面から下方に突出する梁が、それぞれの天井面を横断することを特徴とする請求項１から請求項４のいずれかに記載の屋内空間。
【請求項６】
平面視において、前記第二領域及び前記第三領域は、前記第一領域と他の領域との境界に形成される複数の境界線のうちの一つである第一境界線に隣接して配置され、
前記第二領域と前記第三領域との境界に形成される第二境界線は、前記第一境界線と略直交し、
前記第二領域の天井及び前記第三領域の天井に達しない高さを有する壁体が、該壁体の面内方向を前記第二境界線に沿わせて配置されることを特徴とする請求項１から請求項５のいずれかに記載の屋内空間。
【請求項７】
前記壁体は、物品を収納可能な家具であることを特徴とする請求項６に記載の屋内空間。
【請求項８】
前記第一領域の床面は、前記第二領域の床面よりも４５０ｍｍ〜６００ｍｍ高く、
前記第二領域の床面は、前記第三領域の床面よりも３００ｍｍ〜４００ｍｍ高く形成されることを特徴とする請求項１から請求項７のいずれかに記載の屋内空間。
【請求項９】
前記第二領域及び前記第三領域は、屋外に設けられるテラスに隣接し、
前記テラスの床面は、前記第三領域の床面よりも高く、且つ、前記第二領域の床面と同一の高さで形成され、
前記テラスは、掃出し窓によって前記第二領域及び前記第三領域と隔てられていることを特徴とする請求項１から請求項８のいずれかに記載の屋内空間。
【請求項１０】
前記テラスは、前記第二領域及び前記第三領域を挟んで前記第一領域と対向して配置され、
前記掃出し窓は、透明な窓面を有することを特徴とする請求項９に記載の屋内空間。
【発明の詳細な説明】
【技術分野】
【０００１】
本発明は、周囲の床よりも高い床を有するキッチンを備えた屋内空間に関する。
【背景技術】
【０００２】
従来より知られている住宅では、居住者や来客者の集うリビングを中心とした配置計画を行っていることが多く、他の領域はリビングの付随的な位置づけとなることが多かった。特に炊事を行うキッチンは、リビングと隔離されたり、住宅内の目立たない位置に配置されることが多く、日常的に使用する居室であるにも関わらず閉鎖的な空間となることが多かった。また、このような画一的な構成の住宅では、多様化するライフスタイルに適合した居心地のよい居住環境を形成することが難しく、これらの問題を解決するためにキッチン・ダイニング・リビングをひとつのコミュニティスペースとして捉える提案がされている。
【０００３】
特許文献１に記載の住宅は、ダイニングキッチンゾーンとリビングゾーンとを間仕切らずにひとつに繋げて二世帯住宅の居住者が集う共用部を構成している。この発明では、リビングゾーンに設けられる第一集合スペースの床面を他の領域の床面よりも低い位置に設けて段差を形成しており、この段差によって第一集合スペースと他の領域とを区別しながらも共用部全体の一体感を生み出している。
【先行技術文献】
【特許文献】
【０００４】
【特許文献１】特開２０１５−７４９４９
【発明の概要】
【発明が解決しようとする課題】
【０００５】
しかしながら、特許文献１の発明では、ダイニングキッチンゾーンとリビングゾーンとの一体感は向上するものの、第一集合スペースの床高さのみを他の領域の床高さと異ならせているため、意識が自然と第一集合スペースに向かう構成となっており、ダイニングキッチンゾーン自体はリビングスペースに付随する変化に乏しい空間となってしまう可能性がある。
【０００６】
そこで、本発明は、上述した課題を鑑みてなされたものであって、キッチン、ダイニング、及びリビングの一体感を向上させつつ、明るく開放的なキッチン空間を備える変化に富んだ屋内空間を提供することを目的とする。
【課題を解決するための手段】
【０００７】
本発明の屋内空間は、少なくともキッチンを有する第一領域と、床面が前記第一領域よりも低い第二領域と、床面が前記第二領域よりも低い第三領域と、を有し、前記第一領域、前記第二領域、及び前記第三領域は、それぞれ繋がって形成されるとともに互いの領域間を行き来可能に配置される屋内空間であって、前記第一領域から前記第二領域及び前記第三領域を視認可能に形成されることを特徴としている。
【０００８】
本発明の屋内空間は、前記第一領域は、ダイニングをさらに有し、前記第二領域及び前記第三領域は、リビングであることを特徴としている。
【０００９】
本発明の屋内空間は、前記第一領域は、前記第二領域及び前記第三領域よりも高い天井を有することを特徴としている。
【００１０】
本発明の屋内空間は、前記第一領域の天井は、吹抜を有することを特徴としている。
【００１１】
本発明の屋内空間は、前記第二領域は、第三領域の天井と同一の高さの天井を有し、前記第二領域の天井面及び前記第三領域の天井面から下方に突出する梁が、それぞれの天井面を横断することを特徴としている。
【００１２】
本発明の屋内空間は、平面視において、前記第二領域及び前記第三領域は、前記第一領域と他の領域との境界に形成される複数の境界線のうちの一つである第一境界線に隣接して配置され、前記第二領域と前記第三領域との境界に形成される第二境界線は、前記第一境界線と略直交し、前記第二領域の天井及び前記第三領域の天井に達しない高さを有する壁体が、該壁体の面内方向を前記第二境界線に沿わせて配置されることを特徴としている。
【００１３】
本発明の屋内空間は、前記壁体は、物品を収納可能な家具であることを特徴としている。
【００１４】
本発明の屋内空間は、前記第一領域の床面は、前記第二領域の床面よりも４５０ｍｍ〜６００ｍｍ高く、前記第二領域の床面は、前記第三領域の床面よりも３００ｍｍ〜４００ｍｍ高く形成されることを特徴としている。
【００１５】
本発明の屋内空間は、前記第二領域及び前記第三領域は、屋外に設けられるテラスに隣接し、前記テラスの床面は、前記第三領域の床面よりも高く、且つ、前記第二領域の床面と同一の高さで形成され、前記テラスは、掃出し窓によって前記第二領域及び前記第三領域と隔てられていることを特徴としている。
【００１６】
本発明の屋内空間は、前記テラスは、前記第二領域及び前記第三領域を挟んで前記第一領域と対向して配置され、前記掃出し窓は、透明な窓面を有することを特徴としている。
【発明の効果】
【００１７】
本発明の屋内空間によると、キッチンを有する第一領域と、床面が第一領域よりも低い第二領域と、床面が第二領域よりも低い第三領域と、を有し、第一領域、第二領域、及び第三領域は、それぞれ繋がって形成されるとともに互いの領域間を行き来可能に配置される屋内空間なので、各領域同士の一体感を保持させつつも意識を自然とキッチンを有する第一領域に向かわせることができ、また、変化に富んだ面白みのある空間を構築することができる。さらに、第一領域から第二領域及び第三領域を視認することができるので、キッチンで炊事を行う際に、第二領域及び第三領域を眺めながら家事を行うことができ、開放的なキッチン空間を形成することができる。
【００１８】
本発明の屋内空間によると、第一領域はダイニングを有し、第二領域及び第三領域はリビングであるので、従来リビングを中心としがちな居住者間或いは居住者と来客者間のためのコミュニティスペースを、キッチン及びダイニングを備える第一領域を中心としたコミュニティスペースとすることができ、面白みのある居住空間とすることができる。また、第二領域のリビングと第三領域のリビングは、それぞれ床の高さを異ならせているので、一方のリビングを来客時の応接を行う空間とし、他方のリビングを子供達の遊ぶ空間にするなど、状況に応じて２つのリビングを使い分けることができる。さらに、キッチンで家事を行いながら、リビングで遊ぶ子供や寛ぐ家族の様子を見守ることができ、視認性のよい開放的なキッチン空間を構築することができる。
【００１９】
本発明の屋内空間によると、第一領域は、第二領域及び第三領域よりも高い天井を有しているので、第二領域及び第三領域から第一領域を見た場合に、自然と第一領域を見上げることになり、第一領域の開放感を強調することができる。
【００２０】
本発明の屋内空間によると、第一領域の天井は吹抜を有しているので、キッチンを有する第一領域を明るく開放的な空間とすることができる。
【００２１】
本発明の屋内空間によると、第二領域は、第三領域の天井と同一の高さの天井を有し、第二領域の天井面及び第三領域の天井面から下方に突出する梁が、それぞれの天井面を横断するので、第二領域及び第三領域を迫力のある変化に富んだ空間とすることができる。
【００２２】
本発明の屋内空間によると、平面視において、第二領域及び第三領域は、第一領域と他の領域の境界に形成される複数の境界線のうちの一つである第一境界線に隣接して配置され、第二領域と第三領域との境界に形成される第二境界線は、第一境界線と直交し、第二領域の天井及び第三領域の天井に達しない高さを有する壁体は、該壁体の面内方向を第二境界線に沿わせて配置されるので、壁体に視界を遮られることなく、第一領域から第二領域及び第三領域を見渡すことができる。また、壁体によって、第二領域と第三領域の一体感を保持しつつ各領域を緩やかに仕切ることができる。
【００２３】
本発明の屋内空間によると、壁体は物品を収納可能な家具であるので、家具としての機能を有しながら第二領域と第三領域とを緩やかに仕切ることができる。
【００２４】
本発明の屋内空間によると、第一領域の床面は、第二領域の床面よりも４５０ｍｍ〜６００ｍｍ高く、第二領域の床面は、第三領域の床面よりも３００ｍｍ〜４００ｍｍ高く形成されるので、最も高い位置に配置される第一領域は、開放的な空間とすることができ、最も低い位置に配置される第三領域は、他の領域に囲まれるような篭った雰囲気の空間とすることができる。したがって、各領域同士の一体感を保持しつつもそれぞれの領域が異なる雰囲気を持った面白みのある屋内空間を構築することができる。
【００２５】
本発明の屋内空間によると、第二領域及び第三領域は、屋外に設けられるテラスに隣接し、テラスの床面は、第三領域の床面よりも高く、且つ、第二領域の床面と同一の高さで形成され、テラスは、掃出し窓によって第二領域及び第三領域と隔てられている。したがって、掃出し窓を通じて第二領域とテラスとを自由に行き来できるとともに、テラスと第三領域の境界に形成される段差に、テラスから第三領域の方向を向いて座ることができる。このような構成とすることによって、第二領域及び第三領域を通じてテラスと屋内空間との一体的な利用を図ることができ、屋内空間を開放的な広がりのある空間とすることができる。
【００２６】
本発明の屋内空間によると、テラスは、第二領域及び第三領域を挟んで第一領域と対向して配置され、掃出し窓は、透明な窓面を有するので、第一領域から第二領域及び第三領域を眺めた時に、屋外に位置するテラスまでを見渡すことができ、屋内空間を開放的な居心地のよい空間とすることができる。
【図面の簡単な説明】
【００２７】
【図１】住宅の配置図兼１階平面図。
【図２】図１のＡ−Ａ断面図。
【図３】図１のＢ−Ｂ断面図。
【図４】図１のＣ−Ｃ断面図。
【発明を実施するための形態】
【００２８】
以下、屋内空間１の最良の実施形態について各図を参照しつつ説明する。なお、屋内空間１は、建築物内に設けられる室内空間である。屋内空間１が設けられる建築物は特に限定されないが、住宅内に設けられるのが好適である。ここでは、住宅内に設けられる場合について説明を行う。
【００２９】
なお、本発明において「右」とは図１における右方向を指し、「左」とは図１における左方向を指し、「上」とは図１における上方向を指し、「下」とは図１における下方向を指すものとする。また、本願において「繋がって形成される」とは、各領域が床面から天井面までを閉塞する間仕切壁によって分断されていないことを意味する。
【００３０】
まず、住宅２の配置構成及び１階平面構成から説明する。図１は、本発明の屋内空間１を備えた住宅２の一例を示すもので、配置図及び１階平面図を示している。住宅２は、平面視略矩形の敷地の中央よりもやや上側に配置される。敷地の下側に位置する道路境界線Ｌａには、道路が接しており、道路から住宅２の下側に位置する玄関口２ａまでの間には、アプローチが設けられている。住宅２内部の１階平面構成は、１階の略右半分を占める屋内空間１と、住宅２内部の左下角部に配置される玄関２１と、玄関２１の右側に配置される広縁２２ａを備えた和室部２２と、住宅２内部の左上角部に配置される家事・書斎スペース２３と、屋内空間１、玄関２１、及び家事・書斎スペース２３をそれぞれ接続する廊下２４と、家事・書斎スペース２３の右側に隣接して配置されるトイレ２５と、屋内空間１の下側に隣接し、屋外に配置されるテラス２６を備えている。
【００３１】
続いて、屋内空間１の構成について具体的に説明を行う。屋内空間１は、図１から図３に示すように、少なくともキッチン３ａを有する第一領域３と、床面４１が第一領域３よりも低い第二領域４と、床面５１が第二領域４よりも低い第三領域５と、を有している。また、第一領域３、第二領域４、及び第三領域５は、それぞれ繋がって形成されるとともに互いの領域間を行き来可能に配置される空間であって、第一領域３から第二領域４及び第三領域５を視認可能に形成されている。
【００３２】
第一領域３は、図１及び図３に示すように、屋内空間１内の上側に配置される平面視略矩形の領域で、第一領域３内の上側に配置されるキッチン３ａと、キッチン３ａの下側に隣接して配置されるダイニング３ｂと、第一領域３の左端に配置されるパントリー３ｃと、を有している。キッチン３ａは、調理可能な設備を備えて炊事を行う空間であり、シンク３ｄが壁面に当接せずに設置される所謂アイランドキッチンを形成している。また、ダイニング３ｂは、居住者や来客者が食事を行う空間で、キッチン３ａとダイニング３ｂは、繋がって形成されている。また、第一領域３は、第二領域４及び第三領域５よりも高い天井を有しており、その天井形状は特に限定されないが、例えば、図３に示すように、天井の一部を吹抜３１としたり、天井全体を第二領域４の天井及び第三領域５の天井よりも高くすることができる。
【００３３】
第二領域４及び第三領域５は、図１及び図２に示されるように、第一領域３の下側に隣接して配置される居住者や来客者の集うリビングである。第二領域４と第三領域５は、互いに隣接して配置され、両領域の境界に形成される第一段差Ｈ１には、第一段差Ｈ１を解消する階段が設置されて両領域を行き来することができる。また、図４に示す第二領域４と第一領域３との境界に形成される第二段差Ｈ２と、図３に示す第三領域５と第一領域３との境界に形成される第三段差Ｈ３には、第一領域３から第二領域４及び第三領域５へ行き来可能とする階段がそれぞれ設置されている。なお、第二領域４の床高さは、１階の床高さと同一に形成される。そして、図１に示すように、第一段差Ｈ１を解消する階段はテラス２６寄りに形成され、第三段差Ｈ３を解消する階段は住宅２を構成する右側の壁面沿いに形成されている。
【００３４】
第一段差Ｈ１、第二段差Ｈ２、及び第三段差Ｈ３の高さ寸法は特に限定されないが、第一段差Ｈ１は３００ｍｍ〜４００ｍｍ程度で形成され、第二段差Ｈ２は４５０ｍｍ〜６００ｍｍ程度で形成され、第三段差Ｈ３は７５０ｍｍ〜１０００ｍｍ程度で形成される。このような高低差であれば、各領域を無理なく見渡すことができるとともに変化に富んだ面白みのある空間とすることができる。
【００３５】
図１に示すように、第一領域３と第二領域４及び第三領域５との境界に形成される第一境界線３２は、第二領域４と第三領域５との境界に形成される第二境界線４２と直交しており、図１及び図２に示されるように、第二領域４の床面４１には、第二領域４の天井及び第三領域５の天井に達しない高さを有する壁体４ａが、壁体４ａの面内方向を第二境界線４２に沿わせて配置されている。
【００３６】
この壁体４ａは、第二領域４側から使用できる物品を収納可能な家具とすることができる。その構成は特に限定されることはなく、図２に示すように、所定高さの棚板にＴＶを載置するＴＶボードや、複数の引出しや棚板を設置して物品を収納するリビングボードとすることができる。壁体４ａの大きさについても特に限定されないが、第二領域４の床面４１から壁体４ａの上端までの高さＨ４は１５００ｍｍ程度であることが好ましい。このような寸法であれば、第二領域４と第三領域５の一体感を保持しつつ各領域を緩やかに仕切ることができる。
【００３７】
また、第二領域４は、第三領域５の天井と同一の高さの天井を有しており、図２及び図３に示すように、第二領域４の天井面４３及び第三領域５の天井面５２から下方に突出する梁６が、それぞれの天井面を横断している。なお、本願において「横断する」とは、部材が、異なる２つの領域の天井面に跨って設置されることを指す。梁６は、第二領域４及び第三領域５の一体感を増して迫力のある空間とすることができるとともに、梁６を各領域を横断する長スパンの梁とすることによって、各領域内の独立柱７の本数を削減して見渡しのよい開放的な空間を構築することができる。また梁６の設置する方向は、天井面４３及び天井面５２を横断していれば特に限定されることはなく、梁６の長手方向を第一境界線３２と平行となるように設置したり、梁６が天井面４３及び天井面５２を斜めに横断するものであってもよい。なお、独立柱７は、図１に示すように、第二境界線４２に近接する位置にのみ配置される。
【００３８】
以上のように構成される屋内空間１は、図１に示すように、屋内空間１の下側に配置されるテラス２６と隣接している。具体的には、テラス２６は、第二領域４及び第三領域５とそれぞれ隣接するとともに、第二領域４及び第三領域５を挟んで第一領域３と対向して配置される。テラス２６は、掃出し窓８によって第二領域４及び第三領域５と隔てられており、図３に示すように、テラス２６の床面２７は、第三領域５の床面５１よりも高い位置に配置され、且つ、第二領域４の床面４１と同一の高さに位置している。また、掃出し窓８の窓面は、透明なガラスや、例えば摺りガラスのように光透過性を有して視界を遮る材料とすることができる。なお、テラス２６と第三領域５との境界に形成される第四段差Ｈ５は、第一段差Ｈ１と同じ高さ寸法となる。
【００３９】
このように高低差のある３つの領域を有する屋内空間１は、各領域の一体感を保持させつつも、居住者や来客者の意識が、最も高い位置に配置される第一領域３に自然と向かう構成となっている。したがって、例えば、客人を招いてホームパーティを行う場合に、第一領域３をパフォーマンスキッチンとして使用することができ、居住者と来客者同士が調理や食事を通じてコミュニケーションを行うことができる。
【００４０】
また、壁体４ａは第二境界線４２に沿って設置され、独立柱７は第二境界線４２に近接する位置にのみ配置されるので、第一領域３から第二領域４及び第三領域５を見下ろす際に、視界を遮られることなく各領域を眺めることができ、居心地のよいキッチン空間とすることができる。そして、第一領域３は、第二領域４及び第三領域５よりも高い天井を有しているので、第二領域４及び第三領域５から第一領域３を見た時に、自然と第一領域３を見上げることとなり、閉鎖的になりがちなキッチン空間を明るく開放的な空間と印象づけることができる。さらに、第一領域３で炊事を行う居住者は、家事を行いながら第二領域４及び第三領域５で遊ぶ子供や寛ぐ家族達の様子を見守ることができ、他の居住者達から孤立する状況を防止することができる。
【００４１】
また、領域を２つに分けているリビングは、それぞれの領域に別の用途を持たせて使用方法を分けることができる。例えば、１階の床高さで構成される第二領域４は、玄関口２ａから玄関２１及び廊下２４を通って屋内空間１に入ってきた客人をもてなしやすく、来客の応接をする共用スペースとして利用することができる。また、第二領域４よりも低い床を有する第三領域５は、必然的に屋内空間１の中で最も低い位置に配置され、また壁体４ａによって第二領域４と緩やかに仕切られているので、他の領域と比較して篭った雰囲気の空間となる。したがって、子供が遊んだり居住者がよりゆったりと寛ぐプライベートな空間として使用してもよい。
【００４２】
そして、第一領域３、第二領域４、及び第三領域５は、図１に示すように、それぞれ繋がって形成されるとともに互いの領域間を階段を通じて行き来可能に配置されるので、各領域を回遊する回遊動線９を形成することができ、屋内空間１全体の一体感を保持して居住者間のコミュニケーションを円滑に行うことができる。さらに、図１に示すように、第一段差Ｈ１を解消する階段はテラス２６寄りの掃き出し窓８沿いに形成され、第三段差Ｈ３を解消する階段は住宅２の右側の壁面沿いに形成されているので、通路動線によって各領域が分断され一体感を損なうという心配がない。
【００４３】
また、第二領域４の床面４１は、テラス２６の床面２７と同一の高さの床に位置しているので、掃出し窓８を通じて第二領域４とテラス２６とを自由に行き来することができ、また、第三領域５の床面５１は、テラス２６の床面２７よりも低い位置に形成しているので、テラス２６に出た居住者が第三領域５側を向いて第四段差Ｈ５に座ることができる。したがって、第二領域４、第三領域５、及びテラス２６を一体的に利用することができるとともに、テラス２６にいる居住者の意識が、第三領域５を通じて屋内空間１側に向くので、屋内空間１とテラス２６との一体感を向上させることができる。
【００４４】
そして、テラス２６は、第二領域４及び第三領域５を挟んで第一領域３と対向して配置されているので、掃出し窓８を透明な窓面とした場合には、第一領域３から第二領域４及び第三領域５を眺めたときに、屋外に位置するテラス２６までを視認することができ、屋内空間１をより奥行きのある空間とすることができる。
【００４５】
また、本発明の実施の形態は上述の形態に限ることなく、本発明の思想の範囲を逸脱しない範囲で適宜変更することができることは云うまでもない。
【産業上の利用可能性】
【００４６】
本発明に係る屋内空間は、たとえば、一戸建て住宅や集合住宅に好適に使用することが出来る。
【符号の説明】
【００４７】
１    屋内空間
２６  テラス
２７  床面
３    第一領域
３ａ  キッチン
３ｂ  ダイニング
３１  吹抜
３２  第一境界線
４    第二領域
４ａ  壁体
４１  床面
４２  第二境界線
４３  天井面
５    第三領域
５１  床面
５２  天井面
６    梁
８    掃出し窓
【図１】
2018197473.tif 000003
【図２】
2018197473.tif 000004
【図３】
2018197473.tif 000005
【図４】
2018197473.tif 000006
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
室内の天井、壁及び床に囲まれた１つの空間と、前記天井、壁及び床と、から構成される屋内空間を備える住宅であって、
前記屋内空間は、
少なくともキッチンを有する第一領域と、
床面が前記第一領域よりも低い第二領域と、
床面が前記第二領域よりも低い第三領域と、を同一階に有し、
前記第一領域、前記第二領域、及び前記第三領域は、各々の床面から各々の天井面までの間に形成される前記空間の一部と、前記空間の一部に面する前記天井、壁及び床の一部と、によってそれぞれ構成され、各々他の２つの領域と繋がって形成されるとともに互いの領域間を行き来可能な回遊動線を形成されており、
前記第一領域から前記第二領域及び前記第三領域を視認可能に形成されることを特徴とする住宅。
【請求項２】
前記第一領域は、ダイニングをさらに有し、
前記第二領域及び前記第三領域は、リビングを有することを特徴とする請求項１に記載の住宅。
【請求項３】
前記第一領域は、前記第二領域及び前記第三領域よりも高い天井を有することを特徴とする請求項１又は請求項２に記載の住宅。
【請求項４】
前記第一領域の天井は、吹抜を有することを特徴とする請求項３に記載の住宅。
【請求項５】
前記第二領域は、前記第三領域の天井と同一の高さの天井を有し、
前記第二領域の天井面及び前記第三領域の天井面から下方に突出する梁が、それぞれの天井面を横断することを特徴とする請求項１から請求項４のいずれかに記載の住宅。
【請求項６】
平面視において、前記第二領域及び前記第三領域は、前記第一領域と他の領域との境界に形成される複数の境界線のうちの一つである第一境界線に隣接して配置され、
前記第二領域と前記第三領域との境界に形成される第二境界線は、前記第一境界線と略直交し、
前記第二領域の天井及び前記第三領域の天井に達しない高さを有する壁体が、該壁体の面内方向を前記第二境界線に沿わせて配置されることを特徴とする請求項１から請求項５のいずれかに記載の住宅。
【請求項７】
前記壁体は、物品を収納可能な家具であることを特徴とする請求項６に記載の住宅。
【請求項８】
前記第一領域の床面は、前記第二領域の床面よりも４５０ｍｍ〜６００ｍｍ高く、
前記第二領域の床面は、前記第三領域の床面よりも３００ｍｍ〜４００ｍｍ高く形成されることを特徴とする請求項１から請求項７のいずれかに記載の住宅。
【請求項９】
屋外に設けられるテラスをさらに備え、
前記第二領域及び前記第三領域は、前記テラスに隣接し、
前記テラスの床面は、前記第三領域の床面よりも高く、且つ、前記第二領域の床面と同一の高さで形成され、
前記テラスは、掃出し窓によって前記第二領域及び前記第三領域と隔てられていることを特徴とする請求項１から請求項８のいずれかに記載の住宅。
【請求項１０】
前記テラスは、前記第二領域及び前記第三領域を挟んで前記第一領域と対向して配置され、
前記掃出し窓は、透明な窓面を有することを特徴とする請求項９に記載の住宅。
【手続補正３】
【補正対象書類名】明細書
【補正対象項目名】０００７
【補正方法】変更
【補正の内容】
【０００７】
本発明の住宅は、室内の天井、壁及び床に囲まれた１つの空間と、前記天井、壁及び床と、から構成された屋内空間を備える住宅であって、前記屋内空間は、少なくともキッチンを有する第一領域と、床面が前記第一領域よりも低い第二領域と、床面が前記第二領域よりも低い第三領域と、を同一階に有し、前記第一領域、前記第二領域、及び前記第三領域は、各々の床面から各々の天井面までの間に形成される前記空間の一部と、前記空間の一部に面する前記天井、壁及び床の一部と、によってそれぞれ構成され、各々他の２つの領域と繋がって形成されるとともに互いの領域間を行き来可能な回遊動線を形成されており、前記第一領域から前記第二領域及び前記第三領域を視認可能に形成されることを特徴している。
【手続補正４】
【補正対象書類名】明細書
【補正対象項目名】０００８
【補正方法】変更
【補正の内容】
【０００８】
本発明の住宅は、前記第一領域が、ダイニングをさらに有し、前記第二領域及び前記第三領域は、リビングを有することを特徴としている。
【手続補正５】
【補正対象書類名】明細書
【補正対象項目名】０００９
【補正方法】変更
【補正の内容】
【０００９】
本発明の住宅は、前記第一領域は、前記第二領域及び前記第三領域よりも高い天井を有することを特徴としている。
【手続補正６】
【補正対象書類名】明細書
【補正対象項目名】００１０
【補正方法】変更
【補正の内容】
【００１０】
本発明の住宅は、前記第一領域の天井が、吹抜を有することを特徴としている。
【手続補正７】
【補正対象書類名】明細書
【補正対象項目名】００１１
【補正方法】変更
【補正の内容】
【００１１】
本発明の住宅は、前記第二領域が、第三領域の天井と同一の高さの天井を有し、前記第二領域の天井面及び前記第三領域の天井面から下方に突出する梁が、それぞれの天井面を横断することを特徴としている。
【手続補正８】
【補正対象書類名】明細書
【補正対象項目名】００１２
【補正方法】変更
【補正の内容】
【００１２】
本発明の住宅は、平面視において、前記第二領域及び前記第三領域が、前記第一領域と他の領域との境界に形成される複数の境界線のうちの一つである第一境界線に隣接して配置され、前記第二領域と前記第三領域との境界に形成される第二境界線は、前記第一境界線と略直交し、前記第二領域の天井及び前記第三領域の天井に達しない高さを有する壁体が、該壁体の面内方向を前記第二境界線に沿わせて配置されることを特徴としている。
【手続補正９】
【補正対象書類名】明細書
【補正対象項目名】００１３
【補正方法】変更
【補正の内容】
【００１３】
本発明の住宅は、前記壁体が、物品を収納可能な家具であることを特徴としている。
【手続補正１０】
【補正対象書類名】明細書
【補正対象項目名】００１４
【補正方法】変更
【補正の内容】
【００１４】
本発明の住宅は、前記第一領域の床面が、前記第二領域の床面よりも４５０ｍｍ〜６００ｍｍ高く、前記第二領域の床面は、前記第三領域の床面よりも３００ｍｍ〜４００ｍｍ高く形成されることを特徴としている。
【手続補正１１】
【補正対象書類名】明細書
【補正対象項目名】００１５
【補正方法】変更
【補正の内容】
【００１５】
本発明の住宅は、屋外に設けられるテラスをさらに備え、前記第二領域及び前記第三領域は、前記テラスに隣接し、前記テラスの床面は、前記第三領域の床面よりも高く、且つ、前記第二領域の床面と同一の高さで形成され、前記テラスは、掃出し窓によって前記第二領域及び前記第三領域と隔てられていることを特徴としている。
【手続補正１２】
【補正対象書類名】明細書
【補正対象項目名】００１６
【補正方法】変更
【補正の内容】
【００１６】
本発明の住宅は、前記テラスが、前記第二領域及び前記第三領域を挟んで前記第一領域と対向して配置され、前記掃出し窓は、透明な窓面を有することを特徴としている。
【手続補正１３】
【補正対象書類名】明細書
【補正対象項目名】００１７
【補正方法】変更
【補正の内容】
【００１７】
本発明の住宅によると、キッチンを有する第一領域と、床面が第一領域よりも低い第二領域と、床面が第二領域よりも低い第三領域と、を有し、第一領域、第二領域、及び第三領域は、それぞれ繋がって形成されるとともに互いの領域間を行き来可能に配置される屋内空間なので、各領域同士の一体感を保持させつつも意識を自然とキッチンを有する第一領域に向かわせることができ、また、変化に富んだ面白みのある空間を構築することができる。さらに、第一領域から第二領域及び第三領域を視認することができるので、キッチンで炊事を行う際に、第二領域及び第三領域を眺めながら家事を行うことができ、開放的なキッチン空間を形成することができる。
【手続補正１４】
【補正対象書類名】明細書
【補正対象項目名】００１８
【補正方法】変更
【補正の内容】
【００１８】
本発明の住宅によると、第一領域はダイニングを有し、第二領域及び第三領域はリビングであるので、従来リビングを中心としがちな居住者間或いは居住者と来客者間のためのコミュニティスペースを、キッチン及びダイニングを備える第一領域を中心としたコミュニティスペースとすることができ、面白みのある居住空間とすることができる。また、第二領域のリビングと第三領域のリビングは、それぞれ床の高さを異ならせているので、一方のリビングを来客時の応接を行う空間とし、他方のリビングを子供達の遊ぶ空間にするなど、状況に応じて２つのリビングを使い分けることができる。さらに、キッチンで家事を行いながら、リビングで遊ぶ子供や寛ぐ家族の様子を見守ることができ、視認性のよい開放的なキッチン空間を構築することができる。
【手続補正１５】
【補正対象書類名】明細書
【補正対象項目名】００１９
【補正方法】変更
【補正の内容】
【００１９】
本発明の住宅によると、第一領域は、第二領域及び第三領域よりも高い天井を有しているので、第二領域及び第三領域から第一領域を見た場合に、自然と第一領域を見上げることになり、第一領域の開放感を強調することができる。
【手続補正１６】
【補正対象書類名】明細書
【補正対象項目名】００２０
【補正方法】変更
【補正の内容】
【００２０】
本発明の住宅によると、第一領域の天井は吹抜を有しているので、キッチンを有する第一領域を明るく開放的な空間とすることができる。
【手続補正１７】
【補正対象書類名】明細書
【補正対象項目名】００２１
【補正方法】変更
【補正の内容】
【００２１】
本発明の住宅によると、第二領域は、第三領域の天井と同一の高さの天井を有し、第二領域の天井面及び第三領域の天井面から下方に突出する梁が、それぞれの天井面を横断するので、第二領域及び第三領域を迫力のある変化に富んだ空間とすることができる。
【手続補正１８】
【補正対象書類名】明細書
【補正対象項目名】００２２
【補正方法】変更
【補正の内容】
【００２２】
本発明の住宅によると、平面視において、第二領域及び第三領域は、第一領域と他の領域の境界に形成される複数の境界線のうちの一つである第一境界線に隣接して配置され、第二領域と第三領域との境界に形成される第二境界線は、第一境界線と直交し、第二領域の天井及び第三領域の天井に達しない高さを有する壁体は、該壁体の面内方向を第二境界線に沿わせて配置されるので、壁体に視界を遮られることなく、第一領域から第二領域及び第三領域を見渡すことができる。また、壁体によって、第二領域と第三領域の一体感を保持しつつ各領域を緩やかに仕切ることができる。
【手続補正１９】
【補正対象書類名】明細書
【補正対象項目名】００２３
【補正方法】変更
【補正の内容】
【００２３】
本発明の住宅によると、壁体は物品を収納可能な家具であるので、家具としての機能を有しながら第二領域と第三領域とを緩やかに仕切ることができる。
【手続補正２０】
【補正対象書類名】明細書
【補正対象項目名】００２４
【補正方法】変更
【補正の内容】
【００２４】
本発明の住宅によると、第一領域の床面は、第二領域の床面よりも４５０ｍｍ〜６００ｍｍ高く、第二領域の床面は、第三領域の床面よりも３００ｍｍ〜４００ｍｍ高く形成されるので、最も高い位置に配置される第一領域は、開放的な空間とすることができ、最も低い位置に配置される第三領域は、他の領域に囲まれるような篭った雰囲気の空間とすることができる。したがって、各領域同士の一体感を保持しつつもそれぞれの領域が異なる雰囲気を持った面白みのある屋内空間を構築することができる。
【手続補正２１】
【補正対象書類名】明細書
【補正対象項目名】００２５
【補正方法】変更
【補正の内容】
【００２５】
本発明の住宅によると、第二領域及び第三領域は、屋外に設けられるテラスに隣接し、テラスの床面は、第三領域の床面よりも高く、且つ、第二領域の床面と同一の高さで形成され、テラスは、掃出し窓によって第二領域及び第三領域と隔てられている。したがって、掃出し窓を通じて第二領域とテラスとを自由に行き来できるとともに、テラスと第三領域の境界に形成される段差に、テラスから第三領域の方向を向いて座ることができる。このような構成とすることによって、第二領域及び第三領域を通じてテラスと屋内空間との一体的な利用を図ることができ、屋内空間を開放的な広がりのある空間とすることができる。
【手続補正２２】
【補正対象書類名】明細書
【補正対象項目名】００２６
【補正方法】変更
【補正の内容】
【００２６】
本発明の住宅によると、テラスは、第二領域及び第三領域を挟んで第一領域と対向して配置され、掃出し窓は、透明な窓面を有するので、第一領域から第二領域及び第三領域を眺めた時に、屋外に位置するテラスまでを見渡すことができ、屋内空間を開放的な居心地のよい空間とすることができる。